(57)【特許請求の範囲】
【請求項１】
泡消火剤を圧送して先端側に設けられた泡ヘッドから放出させるための主配管と、
前記主配管を開閉する一斉開放弁と、
前記一斉開放弁に分岐接続された感知配管と、
前記感知配管に取り付けられ、火災時に開駆動して前記感知配管内を減圧させ、該減圧によって前記一斉開放弁を開動させるための火災感知ヘッドと、
前記感知配管の前記火災感知ヘッドよりも先端側に取り付けられ、手動操作によって前記感知配管を開閉する手動起動弁とを備えるとともに、
前記手動起動弁の誤操作によって泡消火剤の放出を防止するための消火剤誤放出防止システムを備え、
前記消火剤誤放出防止システムが、前記手動起動弁の開閉状態を検出するリミットスイッチと、前記感知配管の前記手動起動弁と前記火災感知ヘッドの間に設けられた開閉弁と、前記リミットスイッチから手動起動弁開信号を受けるとともに前記開閉弁を開動制御する制御装置と、前記リミットスイッチが前記手動起動弁の開操作を検出してから所定の時間のインターバルをおいて手動起動弁開信号を前記制御装置に送るインターバル時間設定部とを備えていることを特徴とする泡消火設備。
【請求項２】
泡消火剤を圧送して先端側に設けられた泡ヘッドから放出させるための主配管と、
前記主配管を開閉する一斉開放弁と、
前記一斉開放弁に分岐接続された感知配管と、
前記感知配管に取り付けられ、火災時に開駆動して前記感知配管内を減圧させ、該減圧によって前記一斉開放弁を開動させるための火災感知ヘッドと、
前記感知配管の前記火災感知ヘッドよりも先端側に取り付けられ、手動操作によって前記感知配管を開閉する手動起動弁とを備えるとともに、
前記手動起動弁の誤操作によって泡消火剤の放出を防止するための消火剤誤放出防止システムを備え、
前記消火剤誤放出防止システムが、前記手動起動弁の開閉状態を検出するリミットスイッチと、前記感知配管の前記手動起動弁と前記火災感知ヘッドの間に設けられた開閉弁と、火災感知器から火災感知信号を受け、且つ前記リミットスイッチから手動起動弁開信号を受けるとともに前記開閉弁を開動制御する制御装置とを備えることを特徴とする泡消火設備。
【請求項３】
請求項２に記載の泡消火設備において、
前記消火剤誤放出防止システムが、前記リミットスイッチが前記手動起動弁の開操作を検出してから所定の時間のインターバルをおいて手動起動弁開信号を前記制御装置に送るインターバル時間設定部を備えることを特徴とする泡消火設備。
【請求項４】
請求項１または請求項３に記載の泡消火設備において、
前記消火剤誤放出防止システムが、前記インターバルの時間をカウントダウンして表示するカウント表示部とを備えることを特徴とする泡消火設備。
【請求項５】
請求項１から請求項４のいずれか一項に記載の泡消火設備において、
前記消火剤誤放出防止システムが、前記リミットスイッチが前記手動起動弁の開操作を検出するとともに警報を発する警報発報部を備えることを特徴とする泡消火設備。
【発明の詳細な説明】
【技術分野】
【０００１】
本発明は、本発明は、例えば、地下駐車場、工場、ビルなどの建物・施設に設置され、火災時に泡ヘッドから消火泡を放出させて消火を行う泡消火設備に関する。
【背景技術】
【０００２】
例えば、地下駐車場、工場、ビルなどの建物・施設には、消火設備として、火災時に水と泡消火原液（泡消火薬剤）を一定比率で混合して泡消火剤を生成し、泡消火剤を泡ヘッドから放出させる泡消火設備が多用されている（例えば、特許文献１、特許文献２参照）。
【０００３】
このような泡消火設備は、泡消火剤によって燃焼表面を被覆する窒息作用と、泡消火剤の水分による冷却作用によって効果的に火災を消火することができ、特に油火災や化学薬品による火災等の水による消火が困難なケースに対して優れた消火性能を発揮する。
【０００４】
一方、泡消火設備は、一般に、貯水槽などの水源と、水源から主配管を通じて水を圧送するための圧送ポンプ（加圧送水装置）と、泡消火原液を貯蔵する泡消火薬剤貯蔵槽と、圧送ポンプに接続した主配管に設けられ、水源からの水と泡消火薬剤を一定比率で混合するための混合器と、主配管の先端側に設けられ、混合器で生成した泡消火剤を放出させる泡ヘッド（泡ノズル）とを備えて構成されている。
【０００５】
また、主配管には、混合器と泡ヘッドの間に一斉開放弁が設けられるとともに一斉開放弁に感知配管が分岐接続され、この感知配管に火災を感知するとともに開放して水を放出する火災感知ヘッド（閉鎖型スプリンクラーヘッド）が分岐接続して設けられている。そして、火災時に火災感知ヘッドが開放すると、感知配管内が減圧し、この感知配管を通じて火災感知ヘッドと繋がる一斉開放弁が自動的に開いて泡消火剤が泡ヘッドから放出される。
【０００６】
さらに、感知配管の先端側には手動起動弁が設けられており、この手動起動弁を手動で開動させることによっても、感知配管内が減圧し、一斉開放弁を自動的に開動させて泡消火剤を泡ヘッドから放出させることができる。すなわち、火災を発見した人などが手動起動弁を手動操作することによって泡消火が行えるように構成されている。
【先行技術文献】
【特許文献】
【０００７】
【特許文献１】特開２０１２−０９５８９７号公報
【特許文献２】特開２０１４−０５０５４６号公報
【発明の概要】
【発明が解決しようとする課題】
【０００８】
一方、手動起動弁を設け、手動操作によっても泡消火剤を放出できるように構成されていると、間違って手動起動弁を開動してしまった場合やいたずらなどによって泡消火剤が放出されてしまう。
【０００９】
そして、このようにいたずらなどで泡消火剤が放出されてしまうと、泡消火剤を除去して復旧するために、泡消火剤を希釈させながら除去する作業などが必要で、多大な労力、コストを要する。
【００１０】
特に、有害なＰＦＯＳ（ペルフルオロオクタンスルホン酸）などが泡消火剤に含まれていると、この有害物質を除去するためにさらに入念な除去作業が必要になり、莫大な労力、コストを要することになる。
【００１１】
このため、いたずらなどによって泡消火剤が誤放出されることを防止するための手法が強く望まれている。
【００１２】
本発明は、上記事情に鑑み、いたずらなどによって手動起動弁を操作した場合に泡消火剤の放出を防止することを可能にした泡消火設備を提供することを目的とする。
【課題を解決するための手段】
【００１３】
上記の目的を達するために、この発明は以下の手段を提供している。
【００１４】
本発明の泡消火設備は、泡消火剤を圧送して先端側に設けられた泡ヘッドから放出させるための主配管と、前記主配管を開閉する一斉開放弁と、前記一斉開放弁に分岐接続された感知配管と、前記感知配管に取り付けられ、火災時に開駆動して前記感知配管内を減圧させ、該減圧によって前記一斉開放弁を開動させるための火災感知ヘッドと、前記感知配管の前記火災感知ヘッドよりも先端側に取り付けられ、手動操作によって前記感知配管を開閉する手動起動弁とを備えるとともに、前記手動起動弁の誤操作によって泡消火剤の放出を防止するための消火剤誤放出防止システムを備え、前記消火剤誤放出防止システムが、前記手動起動弁の開閉状態を検出するリミットスイッチと、前記感知配管の前記手動起動弁と前記火災感知ヘッドの間に設けられた開閉弁と、前記リミットスイッチから手動起動弁開信号を受けるとともに前記開閉弁を開動制御する制御装置と、前記リミットスイッチが前記手動起動弁の開操作を検出してから所定の時間のインターバルをおいて手動起動弁開信号を前記制御装置に送るインターバル時間設定部とを備えていることを特徴とする。
【００１５】
本発明の泡消火設備は、泡消火剤を圧送して先端側に設けられた泡ヘッドから放出させるための主配管と、前記主配管を開閉する一斉開放弁と、前記一斉開放弁に分岐接続された感知配管と、前記感知配管に取り付けられ、火災時に開駆動して前記感知配管内を減圧させ、該減圧によって前記一斉開放弁を開動させるための火災感知ヘッドと、前記感知配管の前記火災感知ヘッドよりも先端側に取り付けられ、手動操作によって前記感知配管を開閉する手動起動弁とを備えるとともに、前記手動起動弁の誤操作によって泡消火剤の放出を防止するための消火剤誤放出防止システムを備え、前記消火剤誤放出防止システムが、前記手動起動弁の開閉状態を検出するリミットスイッチと、前記感知配管の前記手動起動弁と前記火災感知ヘッドの間に設けられた開閉弁と、火災感知器から火災感知信号を受け、且つ前記リミットスイッチから手動起動弁開信号を受けるとともに前記開閉弁を開動制御する制御装置とを備えることを特徴とする。
【００１６】
また、本発明の泡消火設備においては、前記消火剤誤放出防止システムが、前記リミットスイッチが前記手動起動弁の開操作を検出してから所定の時間のインターバルをおいて手動起動弁開信号を前記制御装置に送るインターバル時間設定部を備えることが望ましい。
【００１７】
さらに、本発明の泡消火設備においては、前記消火剤誤放出防止システムが、前記インターバルの時間をカウントダウンして表示するカウント表示部とを備えることがより望ましい。
【００１８】
また、本発明の泡消火設備においては、前記消火剤誤放出防止システムが、前記リミットスイッチが前記手動起動弁の開操作を検出するとともに警報を発する警報発報部を備えることがさらに望ましい。
【発明の効果】
【００１９】
本発明の泡消火設備においては、消火剤放出防止システムを備え、手動起動弁の開操作をリミットスイッチで検出することによって感知配管に設けた開閉弁が開くように構成したため、いたずらなどによって手動起動弁を開操作した際に泡消火剤が放出させることを防止することが可能になる。
【図面の簡単な説明】
【００２０】
【図１】本発明の一実施形態に係る泡消火設備を示す図である。
【発明を実施するための形態】
【００２１】
以下、図１を参照し、本発明の一実施形態に係る泡消火設備について説明する。
【００２２】
本実施形態の泡消火設備Ａは、例えば、地下駐車場、工場、ビルなどの建物・施設に設けられ、従来の泡消火設備と同様、図１に示すように、貯水槽などの水源１と、水源１から主配管２を通じて水３を圧送するための圧送ポンプ（加圧送水装置）４と、泡消火薬剤（泡消火原液）５を貯蔵する泡消火薬剤貯蔵槽６と、主配管２に設けられ、水源１から送られた水３と泡消火薬剤貯蔵槽６から送られた泡消火薬剤５を一定比率で混合するための混合器７と、主配管２の先端側に設けられ、混合器７で生成した泡消火剤を放出させる泡ヘッド（泡ノズル）８とを備えて構成されている。
【００２３】
また、制御室９（ポンプ制御室、監視室など）からの動作指令を受けることによって圧送ポンプ４を駆動制御するとともに、圧力スイッチ１１を駆動させて圧力タンク１２から圧縮空気を泡消火薬剤貯蔵槽６に送り、混合器７に所定量の水３と泡消火薬剤５を送るように構成されている。
【００２４】
さらに、主配管２には、混合器７と泡ヘッド８の間に、混合器７側から制御弁１３と一斉開放弁（減圧開放弁）１４が順に設けられている。制御弁１３は、通常時に主配管２を閉じ、制御室９の動作指令によって圧力スイッチ１５が駆動し、この圧力スイッチ１５の駆動とともに開動して主配管２を開くためのものである。
【００２５】
一斉開放弁１４には感知配管１６が接続され、この感知配管１６に火災を感知するとともに開放して水を放出する火災感知ヘッド（閉鎖型スプリンクラーヘッド）１７が分岐接続して設けられている。そして、一斉開放弁１４は、火災時に火災感知ヘッド１７が開放して感知配管１６の内部が減圧するとともに自動的に開動し、泡消火剤を泡ヘッド８から放出させる。
【００２６】
さらに、感知配管１６の先端側に手動起動弁２０が設けられ、この手動起動弁２０を手動で開動させることによっても、一斉開放弁１４を減圧によって開動させ、泡消火剤を泡ヘッド８から放出させることができる。すなわち、火災を発見した人が手動起動弁２０を手動操作することによって泡消火が行えるように構成されている。
【００２７】
一方、本実施形態の泡消火設備Ａは、いたずらなどで手動起動弁２０を開動した際に泡消火剤が放出されることを防止するための消火剤誤放出防止システムＢを備えている。
【００２８】
消火剤誤放出防止システムＢは、手動起動弁２０の開閉状態を検出するリミットスイッチ２１と、感知配管１６の手動起動弁２０と火災感知ヘッド１７の間に設けられた開閉弁（電磁弁）２２と、火災感知器１０から火災感知信号を受け、且つリミットスイッチ２１から手動起動弁開信号を受けるとともに中継機２３を通じて開閉弁２２を開動制御する受信機（制御装置）１９とを備えて構成されている。
【００２９】
なお、開閉弁２２は、手動起動弁２０の一次側（感知配管１６の手動起動弁２０と火災感知ヘッド１７の間）ではなく、手動起動弁２０の二次側（感知配管１６の先端側）に設けるようにしてもよい。そして、二次側に開閉弁２２を設ける場合には、既存の設備に対して容易に増設して本実施形態の構成にすることができる。
【００３０】
なお、受信機１９はバッテリー内蔵型であることが好ましい。また、必ずしも中継機２３を設けなくてもよく、火災感知信号、手動起動弁開信号を受け、直接受信機１９が開閉弁２２を開動制御するようにしてもよい。
【００３１】
そして、本実施形態の消火剤放出防止システムＢにおいては、手動起動弁２０を開くと、リミットスイッチ２１がこれを検出し、受信機１９に手動起動弁開信号が送られる。
【００３２】
受信機１９は、手動起動弁開信号を受けるとともに、火災感知器１０から火災感知信号を受け、火災が発生していることを感知した場合に、中継機２３を通じて開閉弁２２を開動制御する。これにより、手動起動弁２０を開操作すると、火災感知器１０が火災を感知した場合に、開閉弁２２が開き、感知配管１６が減圧して一斉開放弁１４が開いて泡消火剤が泡ヘッド８から放出される。
【００３３】
すなわち、本実施形態の消火剤放出防止システムＢにおいては、手動起動弁２０を開操作しても、火災感知器１０が火災を感知していない場合には開閉弁２２が開くことがない。このため、いたずらなどで手動起動弁２０が誤って開操作されても、火災感知器１０が火災を感知していないため、開閉弁２２ひいては一斉開放弁１４が開くことがなく、泡消火剤が放出されることがない。
【００３４】
また、この消火剤放出防止システムＢを備えると、手動起動弁２０からの手動起動弁開信号（及び手動起動弁閉信号）が受信機１９に送られるため、受信機１９でこの手動起動弁２０からの信号を記憶し、手動起動弁２０の開閉操作や泡消火剤の放出を履歴として残すことができる。
【００３５】
さらに、受信機１９で手動起動弁２０が開操作されたこと（あるいは開閉の状態）を表示したり、プリンターでログ出力するなどして、手動起動弁２０の開閉操作や泡消火剤の放出の履歴・状況を表示、出力できるようにすることも可能になる。
【００３６】
また、手動で泡消火剤の放出を行う際には、手動起動弁２０からの手動起動弁開信号（及び手動起動弁閉信号）が受信機１９に送られ、受信機１９が開閉弁２２を開制御する。このため、泡消火剤の放出が自動によるものか（火災感知ヘッド１７の起動によるものか）、手動によるものか（手動起動弁２０の操作によるものか）を判断することも可能になる。
【００３７】
また、リミットスイッチ２１から受信機１９に手動起動弁開信号を送る際に、所定の時間のインターバルをおいてから信号を送るインターバル時間設定部を設けるようにしてもよい。
【００３８】
さらに、インターバルの時間をカウントダウンして表示するカウント表示部２４を設けるようにしてもよい。
【００３９】
また、リミットスイッチ２１が手動起動弁２０の開操作を検出するとともに、火災警報、障害警報を音響出力する警報発報部２５や、光によって火災警報、障害警報を発する警報発報部２６を設けるようにしてもよい。
【００４０】
そして、このようにインターバル時間設定部やカウント表示部２４、警報発報部２５、２６を設けることで、手動起動弁２０が開操作されたことを知らせることができるとともに、いたずらなどで開操作した者が手動起動弁２０を元に戻すことを促したり、元に戻す時間的猶予を与えることができる。
【００４１】
したがって、本実施形態の泡消火設備Ａにおいては、消火剤放出防止システムＢを備え、手動起動弁２０の開操作をリミットスイッチ２１で検出すること、また、インターバル時間設定部やカウント表示部２４、警報発報部２５を適宜選択的に設けること、火災感知器１０が火災を感知することによって感知配管１６に設けた開閉弁２２が開くように構成したため、いたずらなどによって手動起動弁２０を開操作した際に泡消火剤が放出させることを防止することが可能になる。
【００４２】
以上、本発明に係る泡消火設備の一実施形態について説明したが、本発明は上記の一実施形態に限定されるものではなく、その趣旨を逸脱しない範囲で適宜変更可能である。
【符号の説明】
【００４３】
１      水源
２      主配管
３      水
４      圧送ポンプ（加圧送水装置）
５      泡消火薬剤（泡消火原液）
６      泡消火薬剤貯蔵槽
７      混合器
８      泡ヘッド（泡ノズル）
９      制御室
１０    火災感知器
１１    圧力スイッチ
１２    圧力タンク
１３    制御弁
１４    一斉開放弁（減圧開放弁）
１５    圧力スイッチ
１６    感知配管
１７    火災感知ヘッド（閉鎖型スプリンクラーヘッド）
１９    受信機（制御装置）
２０    手動起動弁
２１    リミットスイッチ
２２    開閉弁（電磁弁）
２３    中継機
２４    カウント表示部
２５    警報発報部
２６    警報発報部
Ａ      泡消火設備
Ｂ      消火剤誤放出防止システム
【図１】
0006580463.tif 000002